(57)【特許請求の範囲】
【請求項１】
開口部を閉塞する戸パネルを有する開戸と、前記開口部の内側面に設けられ、かつ、前記開戸を支持する支持体である開口枠と、前記戸パネルと前記開口枠とを連結する蝶番と、前記開口枠に前記蝶番を取り付けるためのケース体とを備える、開戸構造であって、
前記開口枠には、その開口部側にケース体が収納される穴が開口して形成され、
前記ケース体には、前記蝶番の間接取付部を収納する凹所の底板部の上部に前記蝶番を仮固定するためのケース側係止部となる係止孔が形成され、凹所の下板部の上面には他のケース側係止部となる係止突起が上方へ突出して形成され、かつ、互いに対向する２つの押圧壁が上下方向へ延びて形成されており、前記間接取付部には、前記２つの押圧壁間に配置される偏芯カムが回動可能に取り付けられており、
前記蝶番は、前記係止孔及び係止突起に係止される、蝶番側係止部である係止突起及び凹部を有し、かつ、前記開口枠に前記ケース体を介して取り付けられる間接取付部と、前記戸パネルに取り付けられる主取付部と、前記間接取付部と前記主取付部とを回動自在に連結する連結機構とを有しており、
前記係止突起は、前記間接取付部の背面から水平方向へ突出して形成され、かつ、係止孔に挿通される挿通部と、挿通部の先端部から垂下して形成された引掛け部とを有し、更に前記２つの押圧壁の対向方向へ移動可能に構成されており、
前記係止突起及び凹部が前記係止孔及び係止突起の上方からこれに係止され、
前記偏芯カムが回動されたときに前記偏芯カムが前記押圧壁のいずれかを押圧することによって前記間接取付部に対して前記ケース体が前記対向方向へ移動される、開戸構造。
【請求項２】
開口部を閉塞する戸パネルを有する開戸と、開口部の内側面に設けられ、かつ、前記開戸を支持する支持体である開口枠と、前記戸パネルと前記開口枠とを連結する蝶番と、前記戸パネルに前記蝶番を取り付けるためのケース体とを備える、開戸構造であって、
前記開口枠には、その開口部側にケース体が収納される穴が開口して形成され、
前記ケース体には、間接取付部を収納する凹所の底板部の上部に前記蝶番を仮固定するためのケース側係止部となる係止孔が形成され、かつ、互いに対向する２つの押圧壁が上下方向へ延びて形成されており、前記間接取付部には、前記２つの押圧壁間に配置される偏芯カムが回動可能に取り付けられており、
前記蝶番は、前記係止孔に係止される、蝶番側係止部である係止突起を有し、かつ、前記戸パネルに前記ケース体を介して取り付けられる間接取付部と、前記開口枠に取り付けられる主取付部と、前記間接取付部と前記主取付部とを回動自在に連結する連結機構とを有しており、
前記間接取付部には、前記係止孔に係止される、上方へ突出した引掛け部を有し、更に前記２つの押圧壁の対向方向へ移動可能に構成された係止突起が形成されており、
前記係止孔が前記係止突起の上方からこれに係止され、
前記偏芯カムが回動されたときに前記偏芯カムが前記押圧壁のいずれかを押圧することによって前記間接取付部に対して前記ケース体が前記対向方向へ移動される、開戸構造。
【請求項３】
前記蝶番側係止部または前記ケース側係止部である係止突起は水平面に対して傾斜して形成されたガイド面を有している、請求項１または２に記載の開戸構造。
【発明の詳細な説明】
【技術分野】
【０００１】
本発明は、住宅の部屋間や収納に設けられた開口部を開戸によって開閉する開戸構造に関し、特に、開戸と支持体とを蝶番を介して連結した、開戸構造に関する。
【背景技術】
【０００２】
以下には、従来の開戸構造について、図１７および図１８を参照しながら説明する。
【０００３】
従来の一般的な開戸構造１は、図１７に示すように、住宅の部屋間や収納に設けられた開口部２を開閉するものであり、開口部２を閉塞する戸パネル３を有する開戸４と、開口部２の内側面に取り付けられ、かつ、開戸４を支持する支持体５と、開戸４と支持体５とを連結する蝶番６とを備えている。蝶番６は、戸側取付部６ａと、支持体側取付部６ｂと、これらを回動自在に連結する連結機構６ｃとを有しており、戸側取付部６ａが戸パネル３の幅方向一方端面に設けられた穴３ａ内に固定されており、支持体側取付部６ｂが支持体５の表面に設けられた穴５ａ内に固定されている。
【０００４】
そして、開戸４を支持体５に取り付ける際には、図１７中の二点鎖線で示すように、蝶番６の戸側取付部６ａを戸パネル３の穴３ａ内に固定し、その後、蝶番６の支持体側取付部６ｂを支持体５の穴５ａ内に固定するようにしていた。そのため、開戸４の取付作業は、開戸４を所定の高さで支持しながら行うことになり、支持体側取付部６ｂを穴５ａ内の所定位置に正確に固定することは極めて困難であった。
【０００５】
そこで、従来では、かかる取付作業を容易に行うための技術が種々開発されており、特許文献１には、蝶番６を仮固定する機構を備える開戸構造７が開示されている。この開戸構造７では、図１８に示すように、支持体に設けられた穴（図示省略）の内部にケース体（ベースフレーム）８が配設されており、ケース体（ベースフレーム）８には、バネ性を有する係止部材９が取り付けられている。一方、戸パネルに取り付けられた蝶番６の支持体側取付部（ヒンジ本体）６ｂには、係止部材９が係止される係止部６ｄが設けられている。戸パネルを支持体に取り付ける際には、ケース体（ベースフレーム）８の内部空間に支持体側取付部（ヒンジ本体）６ｂを挿入する。すると、係止部材９が弾性変形されながら係止部６ｄを乗り越えてこれに係止され、ケース体（ベースフレーム）８に対する蝶番６の仮固定が行われる。仮固定後は、蝶番６の位置を微調整し、その後、ケース体（ベースフレーム）８に対して蝶番６を本固定する。
【０００６】
なお、図１８は、開戸構造７における仮固定機構を示す部分拡大断面図であり、特許文献１の図７および段落［００４２］の記載に対応するものである。
【特許文献１】特開平５−１１３０６８号公報（図７、段落［００４２］）
【発明の開示】
【発明が解決しようとする課題】
【０００７】
特許文献１の開戸構造７（図１８）によれば、係止部材９を係止部６ｄに係止させることによって蝶番（ヒンジ）６を仮固定することができるので、本固定の前に蝶番（ヒンジ）６の位置を微調整することが可能となり、開戸の取付作業性を飛躍的に高めることができる。しかし、仮固定を解除する際には、ドライバー等の工具によって係止部材９を弾性変形させなければならず（図１８）、仮固定の解除に手間がかかるという問題があった。
【０００８】
それゆえに、本発明の主たる課題は、開戸の取付作業性を向上できるとともに、仮固定の解除を簡単に行うことのできる、開戸構造を提供することである。
【課題を解決するための手段】
【０００９】
請求項１に記載した発明（図８）は、「開口部１４を閉塞する戸パネル３０を有する開戸１６と、前記開口部１４の内側面に設けられ、かつ、前記開戸１６を支持する支持体である開口枠１８と、前記戸パネル３０と前記開口枠１８とを連結する蝶番２０と、前記開口枠１８に前記蝶番２０を取り付けるためのケース体２２とを備える、開戸構造１０であって、前記開口枠１８には、その開口部１４側にケース体２２が収納される穴４０が開口して形成され、前記ケース体２２には、前記蝶番２０の間接取付部６６を収納する凹所の底板部４２ａの上部に前記蝶番２０を仮固定するためのケース側係止部となる係止孔５４が形成され、凹所の下板部４２ｃの上面には他のケース側係止部となる係止突起６０が上方へ突出して形成され、かつ、互いに対向する２つの押圧壁５２ａ，５２ｂが上下方向へ延びて形成されており、前記間接取付部６６には、前記２つの押圧壁５２ａ，５２ｂ間に配置される偏芯カム８８が回動可能に取り付けられており、前記蝶番２０は、前記係止孔５４及び係止突起６０に係止される、蝶番側係止部である係止突起７６及び凹部７８を有し、かつ、前記開口枠１８に前記ケース体２２を介して取り付けられる間接取付部６６と、前記戸パネル３０に取り付けられる主取付部６８と、前記間接取付部６６と前記主取付部６８とを回動自在に連結する連結機構７０とを有しており、前記係止突起７６は、前記間接取付部６６の背面から水平方向へ突出して形成され、かつ、係止孔５４に挿通される挿通部８０と、挿通部８０の先端部から垂下して形成された引掛け部８２とを有し、更に前記２つの押圧壁５２ａ，５２ｂの対向方向へ移動可能に構成されており、前記係止突起７６及び凹部７８が前記係止孔５４及び係止突起６０の上方からこれに係止され、前記偏芯カム８８が回動されたときに前記偏芯カム８８が前記押圧壁５２ａ，５２ｂのいずれかを押圧することによって前記間接取付部６６に対して前記ケース体２２が前記対向方向へ移動される、開戸構造１０」である。
【００１０】
本発明では、図８に示すように、蝶番側係止部（係止突起７６，凹部７８）がケース側係止部（係止孔５４，係止突起６０）の上方からこれに係止されており、蝶番２０には、戸パネル３０の重量が下向きに作用している。そのため、蝶番２０が不所望に持ち上げられることはなく、ケース側係止部（係止孔５４，係止突起６０）と蝶番側係止部（係止突起７６，凹部７８）との係止状態が安定する。
【００１１】
また、蝶番２０をケース体２２に仮固定する際には、戸パネル３０と一体になった蝶番側係止部（係止突起７６，凹部７８）を、支持体（開口枠１８）と一体になったケース側係止部（係止孔５４，係止突起６０）に対して上方から係止させるようにしているので、戸パネル３０を持ち上げるだけで仮固定を簡単に解除することができる。つまり、蝶番２０の仮固定を解除する際に、ドライバー等の工具によって蝶番側係止部（係止突起７６，凹部７８）またはケース側係止部（係止孔５４，係止突起６０）を弾性変形させる必要はない。また、図１０に示すように、偏芯カム８８で２つの押圧壁５２ａ，５２ｂのいずれかを押圧することによって間接取付部６６に対してケース体２２が移動され、両者間の位置関係が２つの押圧壁５２ａ，５２ｂの対向方向において調整される。このとき、位置調整の方向においては、ケース側係止部または蝶番側係止部の一方が他方に対して移動可能であるため、ケース側係止部と蝶番側係止部とを係止させた仮固定部Ｆ１，Ｆ２が位置調整の妨げとなることはない。この点は後述する請求項２に記載の発明でも同じである。
【００１２】
請求項２に記載した発明（図１６）は、「開口部１４を閉塞する戸パネル３０を有する開戸１６と、開口部１４の内側面に設けられ、かつ、前記開戸１６を支持する支持体である開口枠１８と、前記戸パネル３０と前記開口枠１８とを連結する蝶番２０と、前記戸パネル３０に前記蝶番２０を取り付けるためのケース体２２とを備える、開戸構造１０であって、前記開口枠１８には、その開口部１４側にケース体２２が収納される穴４０が開口して形成され、前記ケース体２２には、間接取付部６６を収納する凹所の底板部４２ａの上部に前記蝶番２０を仮固定するためのケース側係止部となる係止孔１５２が形成され、かつ、互いに対向する２つの押圧壁５２ａ，５２ｂが上下方向へ延びて形成されており、前記間接取付部６６には、前記２つの押圧壁５２ａ，５２ｂ間に配置される偏芯カム８８が回動可能に取り付けられており、前記蝶番２０は、前記係止孔１５２に係止される、蝶番側係止部である係止突起１５６を有し、かつ、前記戸パネル３０に前記ケース体２２を介して取り付けられる間接取付部６６と、前記開口枠１８に取り付けられる主取付部６８と、前記間接取付部６６と前記主取付部６８とを回動自在に連結する連結機構７０とを有しており、前記間接取付部６６には、前記係止孔１５２に係止される、上方へ突出した引掛け部１５４を有し、更に前記２つの押圧壁５２ａ，５２ｂの対向方向へ移動可能に構成された係止突起１５６が形成されており、前記係止孔１５２が前記係止突起１５６の上方からこれに係止され、前記偏芯カム８８が回動されたときに前記偏芯カム８８が前記押圧壁５２ａ，５２ｂのいずれかを押圧することによって前記間接取付部６６に対して前記ケース体２２が前記対向方向へ移動される、開戸構造１０」である。
【００１３】
本発明では、図１６に示すように、ケース側係止部（係止孔１５２）が蝶番側係止部（係止突起１５６）の上方からこれに係止されており、ケース体２２には、戸パネル３０の重量が下向きに作用している。そのため、ケース体２２が不所望に持ち上げられることはなく、蝶番側係止部（係止突起１５６）とケース側係止部（係止孔１５２）との係止状態が安定する。
【００１４】
また、蝶番２０をケース体２２に仮固定する際には、戸パネル３０と一体になったケース側係止部（係止孔１５２）を、支持体（開口枠１８）と一体になった蝶番側係止部（係止突起１５６）に対して上方から係止させるようにしているので、戸パネル３０を持ち上げるだけで仮固定を簡単に解除することができる。つまり、蝶番２０の仮固定を解除する際に、ドライバー等の工具によってケース側係止部（係止孔１５２）または蝶番側係止部（係止突起１５６）を弾性変形させる必要はない。
【００１５】
請求項３に記載した発明（図５）は、請求項１または２に記載した「開戸構造１０」において、「前記蝶番側係止部または前記ケース側係止部である係止突起５４，６０又は１５６は水平面に対して傾斜して形成されたガイド面（引掛け部の先端面８２ａ，係止突起の端面６０ａ，引掛け部の先端面１５４ａ）を有している」ことを特徴とする。
【００１６】
本発明では、図５、図９および図１６に示すように、蝶番側係止部またはケース側係止部の少なくとも一方にガイド面（引掛け部の先端面８２ａ，係止突起の端面６０ａ，引掛け部の先端面１５４ａ）を形成しているので、間接取付部６６をケース体２２に押し込むだけで、蝶番側係止部またはケース側係止部がガイド面に（引掛け部の先端面８２ａ，係止突起の端面６０ａ，引掛け部の先端面１５４ａ）に沿って持ち上がり、相手方のケース側係止部または蝶番側係止部に係止される。
【発明の効果】
【００１９】
請求項１〜３に記載した発明では、ケース側係止部と蝶番側係止部とが係止されることによってケース体２２に対して蝶番２０が仮固定され、これにより、支持体（開口枠１８）に対して戸パネル３０が仮固定される。したがって、蝶番２０を本固定するより前に、ケース体２２に対する蝶番２０の位置を微調整することができ、すなわち、支持体（開口枠１８）に対する戸パネル３０の位置を微調整することができ、支持体（開口枠１８）に対する開戸１６の取付作業性を高めることができる。また、カム８８を回動させることによって間接取付部６６とケース体２２との位置関係を簡単に調整することができ、これにより、支持体（開口枠１８）に対する戸パネル３０の位置を微調整することができる。
【００２０】
また、戸パネル３０を持ち上げることによって、支持体（開口枠１８）と一体になったケース側係止部または蝶番側係止部から戸パネル３０と一体になった蝶番側係止部またはケース側係止部を離脱させることができるので、仮固定の解除を簡単に行うことができる。
【００２１】
請求項３に記載した発明によれば、蝶番側係止部またはケース側係止部の少なくとも一方にガイド面（引掛け部の先端面８２ａ，係止突起の端面６０ａ，引掛け部の先端面１５４ａ）を形成しているので、蝶番側係止部とケース側係止部との係止作業を簡単に行うことができ、仮固定の作業性をより高めることができる。
【発明を実施するための最良の形態】
【００２３】
図１は、本発明が適用された開戸構造１０の全体を示す正面図あり、図２は、図１におけるＩＩ−ＩＩ線断面図である。また、図３は、開戸構造１０を完全に開いたときの要部を示す部分拡大図であり、図４は、図３におけるＩＶ−ＩＶ線断面図であり、図５は、図４における「Ａ部」および「Ｂ部」の拡大図である。そして、図６は、図３におけるＶＩ−ＶＩ線断面図である。なお、本実施例の説明で用いる「上下」、「前後」、「左右」の方向は、図において矢印で示した方向に対応するものである。
【００２４】
開戸構造１０は、図１および図２に示すように、部屋等の壁１２に設けられた開口部１４を開閉する開戸１６と、開戸１６を支持する「支持体」としての開口枠１８と、開戸１６と開口枠１８とを連結する蝶番２０と、開口枠１８に取り付けられ、かつ、蝶番２０が固定されるケース体２２とによって構成されている。
【００２５】
壁１２は、図２に示すように、複数の壁枠材２４ａによって枠組みされた壁枠２４と、壁枠２４の表裏両面に接合された壁板２６とによって構成されている。そして、壁１２に形成された開口部１４の内周部においては、表裏の壁板２６間に断面略四角形の棒状の開口下地枠２８が配設されており、この開口下地枠２８に対して開口枠１８が組み付けられている。
【００２６】
開戸１６は、図１および図２に示すように、開口部１４を閉塞する板状の戸パネル３０と、戸パネル３０の幅方向一方端面３０ａ（図１）に近接して配設された取手３２とを有しており、戸パネル３０の幅方向他方端面３０ｂには、蝶番２０を取り付けるための少なくとも２つの穴３４（図２）が上下方向に間隔を隔てて形成されている。穴３４は、図６に示すように、蝶番２０の主取付部６８が収容される略四角形の収容穴３４Ａと、収容穴３４Ａの上下方向両端部に連続して形成され、かつ、主取付部６８が固定される略四角形の２つの固定穴３４Ｂとによって構成されている。
【００２７】
なお、戸パネル３０の種類は、特に限定されるものではなく、本実施例（図２）のような「中実構造」のものの他、戸枠の表裏両面に表面材を接合した「フラッシュ構造」のものが用いられてもよい。
【００２８】
開口枠１８は、図１に示すように、開口部１４の内周面に組み付けられた枠体であり、開口部１４の左右の内側面に設けられた２本の縦枠３６と、開口部１４の上端面において２本の縦枠３６間に架け渡された１本の横枠３８とを有している。そして、一方の縦枠３６の表面３６ａには、図２に示すように、蝶番２０を取り付けるための少なくとも２つの穴４０が開口部１４側に開口して上下方向に間隔を隔てて形成されている。穴４０は、図４に示すように、ケース体２２の嵌入部４２と蝶番２０の間接取付部６６が収容される略四角形の収容穴４０Ａと、収容穴４０Ａの上下方向両端部に連続して形成され、かつ、ケース体２２が固定される略四角形の２つの固定穴４０Ｂとによって構成されている。
【００２９】
なお、本実施例では、開戸１６を支持する「支持体」として開口枠１８を用いているが、開口枠１８に代えて、単なる長尺板状または棒状の部材を「支持体」として用いてもよい。
【００３０】
蝶番２０は、図３に示すように、開戸１６の戸パネル３０と開口枠１８の縦枠３０とを回動自在に連結する部材であり、ケース体２２は、図４に示すように、開口枠１８に蝶番２０を取り付ける部材であり、両者が一体となって開戸構造１０の要部を構成している。以下には、説明の便宜上、まず、ケース体２２について説明し、その後、蝶番２０について説明する。
【００３１】
ケース体２２は、図４および図７に示すように、縦枠３６に形成された穴４０の収容穴４０Ａに嵌め込まれる嵌入部４２と、上側の固定穴４０Ｂに嵌め込まれる板状の上側固定部４４と、下側の固定穴４０Ｂに嵌め込まれる板状の下側固定部４６とによって構成されている。
【００３２】
嵌入部４２は、収容穴４０Ａの底面４０ａに沿って配置される底板部４２ａと、収容穴４０Ａの上面４０ｂに沿って配置される上板部４２ｂと、収容穴４０Ａの下面４０ｃに沿って配置される下板部４２ｃとによって断面略コ字状に形成されており、嵌入部４２の幅方向両側面は、間接取付部６６の位置調整のために開口されている。
【００３３】
底板部４２ａは、蝶番２０の間接取付部６６が固定される部分であり、底板部４２ａの中央部には、図７に示すように、略四角形の孔４８が形成されており、孔４８の下方には、略Ｕ字状の孔５０が孔４８に連続して形成されている。そして、底板部４２ａの背面には、孔４８および５０の周縁部から立ち上がって周壁５２が形成されており、周壁５２のうち、孔５０の両側縁に沿って上下方向へ延びる部分が、後述する偏芯カム８８によって押圧される押圧壁５２ａおよび５２ｂとなっている。つまり、２つの押圧壁５２ａおよび５２ｂは、「前後方向」すなわち「ケース体２２の幅方向」において互いに対向して上下方向へ延びて形成されており、押圧壁５２ａおよび５２ｂ間には、偏芯カム８８を収容するカム収容空間５２ｃが構成されている。
【００３４】
また、底板部４２ａの上部には、「ケース側係止部」としての係止孔５４が形成されており、底板部４２ａの上部および下部には、本固定ねじ５６（図３）が螺合されるねじ穴５８が形成されている。係止孔５４は、間接取付部６６に形成された「蝶番側係止部」としての係止突起７６が係止される貫通孔であり、係止孔５４の前後方向幅Ｗ１は、図７に示すように、係止突起７６の前後方向幅Ｗ２よりも十分に大きく設定されている。
【００３５】
そして、下板部４２ｃの上面には、「ケース側係止部」としての係止突起６０が上方へ突出して形成されている。係止突起６０における開口側（左側）の端面６０ａは、水平面に対して傾斜して形成されており、この端面６０ａが「蝶番側係止部」としての凹部７８を案内する「ガイド面」となっている。係止突起６０は、間接取付部６６に形成された凹部７８に収容される部分であり、係止突起６０の前後方向幅Ｗ３は、図７に示すように、凹部７８の前後方向幅Ｗ４よりも十分に小さく設定されている。
【００３６】
したがって、間接取付部６６に設けられた偏芯カム８８によって押圧壁５２ａ，５２ｂが押圧されたときには、係止突起７６および凹部７８が係止孔５４および係止突起６０に対して押圧方向へ移動されることになり、間接取付部６６に対するケース体２２の移動が妨げられることはない。
【００３７】
上側固定部４４は、嵌入部４２の上側開口縁から上方へ突出して形成された板状部分であり、下側固定部４６は、嵌入部４２の下側開口縁から下方へ突出して形成された板状部分であり、上側固定部４４および下側固定部４６のそれぞれには、固定ねじ６２（図４）が挿通される２つの貫通孔６４が形成されている。
【００３８】
蝶番２０は、図３に示すように、開口枠（支持体）１８の縦枠３６に取り付けられる間接取付部６６と、開戸１６の戸パネル３０に取り付けられる主取付部６８と、これらを回動自在に連結する連結機構７０とによって構成されている。
【００３９】
間接取付部６６は、図４に示すように、ケース体２２を介して縦枠３６に間接的に取り付けられる部分であり、ケース体２２の底板部４２ａに幅方向へ位置調整可能なように固定される固定板部７２を備えている。そして、固定板部７２の表面中央部には、連結機構７０のリンク機構１４６が取り付けられる２つの凹部７４が上下二段に形成されており、固定板部７２の背面上部には、図５（Ａ）に示すように、ケース体２２に形成された係止孔５４に係止される「蝶番側係止部」としての係止突起７６が形成されている。また、固定板部７２の下面には、図５（Ｂ）に示すように、ケース体２２に形成された係止突起６０が係止される「蝶番側係止部」としての凹部７８が形成されている。
【００４０】
係止突起７６は、図５（Ａ）に示すように、固定板部７２の背面から水平方向へ突出して形成され、かつ、係止孔５４に挿通される棒状の挿通部８０と、挿通部８０の先端部から垂下して形成された引掛け部８２とを有しており、係止突起７６における少なくとも引掛け部８２の先端面８２ａは、水平面に対して傾斜して形成されており、この先端面８２ａが係止孔５４の周縁下部５４ａを案内する「ガイド面」となっている。
【００４１】
係止突起７６の先端部（挿通部８０と引掛け部８２とが一体となった部分）の上下方向長さＬ１（図５（Ａ））は、係止孔５４の上下方向長さＬ２（図５（Ａ））よりも短く設定されている。また、係止孔５４に係止突起７６を係止させた状態において、固定板部７２と上板部４２ｂとの間に生じる隙間の幅Ｌ３（図４）は、引掛け部８２の上下方向長さＬ４（図５（Ａ））よりも大きく、かつ、係止突起６０の上下方向長さＬ５（図５（Ｂ））よりも大きく設定されている。したがって、間接取付部６６を持ち上げることによって、係止突起７６と係止孔５４との係止状態を解除できるとともに、凹部７８と係止突起６０との係止状態を解除できる。
【００４２】
また、固定板部７２の中央部には、図４に示すように、貫通孔８４が形成されており、この貫通孔８４には、前後方向調整ねじ８６が挿通されている。そして、前後方向調整ねじ８６の先端部には、偏芯カム８８が取り付けられており、この偏芯カム８８がケース体２２に形成された２つの押圧壁５２ａ，５２ｂ間（カム収容空間５２ｃ）に配置されている。したがって、前後方向調整ねじ８６を回転させると、偏芯カム８８が押圧壁５２ａまたは５２ｂのいずれかを押圧し、間接取付部６６に対してケース体２２が前後方向へ移動されることになる。
【００４３】
さらに、固定板部７２の上部および下部には、本固定ねじ５６が挿通される貫通孔９０（図３）が形成されている。
【００４４】
主取付部６８は、図６に示すように、戸パネル３０に対して取り付けられる部分であり、ハウジング９２と、上下方向へ位置調整可能に構成された上下移動部９４と、左右方向へ位置調整可能に構成された左右移動部９６と、蓋体９８とを備えている。
【００４５】
なお、上述の間接取付部６６（図４）の取付態様は、ケース体２２を介した間接的なものであるが、主取付部６８（図６）の取付態様は、特に限定されるものではなく、以下に説明するような直接的なものであってもよいし、他の取付部材を介した間接的なものであってもよい。
【００４６】
ハウジング９２（図６）は、穴３４の収容穴３４Ａに嵌め込まれる嵌入部１００と、上側の固定穴３４Ｂに嵌め込まれる板状の上側固定部１０２と、下側の固定穴３４Ｂに嵌め込まれる板状の下側固定部１０４とによって構成されている。
【００４７】
嵌入部１００は、収容穴３４Ａの底面３４ａから離間して配置された底板部１００ａと、収容穴３４Ａの上面３４ｂに沿って配置される上板部１００ｂと、収容穴３４Ａの下面３４ｃに沿って配置される下板部１００ｃと、収容穴３４Ａの両側面（図示省略）に沿って配置される２つの側板部（図示省略）とによって、表面（右側の面）が開口された略箱状に形成されている。そして、底板部１００ａには、上下方向へ長くなった２つの長孔１０６が上下方向へ間隔を隔てて形成されており、底板部１００ａの上部には、高さ調整ねじ１０８の端部が空回り可能に挿通される貫通孔１１０が形成されている。
【００４８】
上側固定部１０２は、嵌入部１００の上側開口縁から上方へ突出して形成された板状部分であり、下側固定部１０４は、嵌入部１００の下側開口縁から下方へ突出して形成された板状部分であり、上側固定部１０２および下側固定部１０４のそれぞれには、固定ねじ１１２が挿通される２つの貫通孔１１４が形成されている。
【００４９】
そして、ハウジング９２の嵌入部１００に上下移動部９４と左右移動部９６とが収容されており、ハウジング９２の開口部に蓋体９８が取り付けられている。
【００５０】
上下移動部９４は、図６に示すように、上下移動部本体１１６と、高さ規定部１１８と、高さ調整ねじ１０８とによって構成されている。
【００５１】
上下移動部本体１１６は、左右移動部９６を左右方向へ移動可能なように収容する収容凹部１２０を有しており、収容凹部１２０の底部には、左右方向調整ねじ１２２が空回り可能に挿通される２つの貫通孔１２４が上下方向へ間隔を隔てて形成されている。また、上下移動部本体１１６の上端部には、左右方向において水平面に対して傾斜する傾斜面１２６が形成されている。
【００５２】
高さ規定部１１８は、ハウジング９２の内部に配設された上下移動部本体１１６の上下方向位置を規定するブロック状の部材であり、高さ規定部１１８の下面には、上下移動部本体１１６の傾斜面１２６に当接する傾斜面１２８が形成されており、高さ規定部１１８の上下方向中央部には、高さ調整ねじ１０８が螺合されるねじ孔１３０が左右方向へ貫通して形成されている。
【００５３】
高さ調整ねじ１０８は、高さ規定部１１８を前後方向へ移動させることによって上下移動部本体１１６の上下方向位置を調整するものであり、高さ調整ねじ１０８の長さは、高さ規定部１１８の幅よりも十分に長く設定されている。そして、高さ調整ねじ１０８が蓋体９８の貫通孔１４４に挿通されるとともに、高さ規定部１１８のねじ孔１３０に貫通状態でねじ込まれており、さらに、ハウジング９２の貫通孔１１０に挿通されている。また、高さ調整ねじ１０８の頭部１０８ａが蓋体９８の表面に回転自在に係止されており、かつ、高さ調整ねじ１０８の先端部１０８ｂが貫通孔１１０の内周部にストッパ１３２を介して回転自在に係止されている。
【００５４】
したがって、ドライバー等の工具を用いて高さ調整ねじ１０８を回転させると、その回転に応じて高さ規定部１１８が左右方向へ移動され、それにより上下移動部本体１１６の上下方向位置が調整される。
【００５５】
左右移動部９６は、左右移動部本体１３４と、２本の左右方向調整ねじ１２２とによって構成されている。
【００５６】
左右移動部本体１３４は、上下移動部本体１１６の収容凹部１２０に左右方向へ移動可能に収容されており、左右移動部本体１３４の表面には、連結機構７０のリンク機構１４６が取り付けられる２つの凹部１３６が上下二段に形成されている。また、左右移動部本体１３４には、上下移動部本体１１６に形成された貫通孔１２４に連通する２つのねじ孔１３８が上下方向へ間隔を隔てて形成されており、ねじ孔１３８の入口部分には拡径部１３８ａが形成されている。
【００５７】
左右方向調整ねじ１２２は、左右移動部本体１３４を左右方向へ移動させるものであり、左右移動部本体１３４に形成されたねじ孔１３８に貫通状態でねじ込まれるとともに、上下移動部本体１１６の貫通孔１２４に挿通されており、さらに、ハウジング９２の長孔１０６に挿通されている。そして、左右方向調整ねじ１２２の頭部１２２ａが拡径部１３８ａの内部に配置されており、一方、先端部１２２ｂが上下移動部本体１１６の背面において、貫通孔１２４の内周部にストッパ部材１３２を介して回転自在に係止されている。
【００５８】
したがって、ドライバー等の工具を用いて左右方向調整ねじ１２２を回転させると、その回転に応じて左右移動部本体１３４が移動され、ハウジング９２内における左右移動部本体１３４の左右方向位置が調整される。
【００５９】
蓋体９８は、左右移動部本体１３４が通過可能な窓１４０を有する板状部材であり、蓋体９８には、固定ねじ１１２が挿通される４つの貫通孔１４２と、高さ調整ねじ１０８が挿通される貫通孔１４４とが形成されている。
【００６０】
連結機構７０は、図３に示すように、２つのリンク機構１４６を備えている。各リンク機構１４６は、間接取付部６６の凹部７４に固定されるアームと、主取付部６８の凹部１３６に固定されるアームとを回転軸で連結した構造を有しているが、かかる構造は、従来から一般に使用されているものであるため、その詳細な説明は省略する。なお、連結機構７０の具体的構成については、特許文献１（特開平５−１１３０６８）が参考になる。
【００６１】
開戸構造１０を組み立てる際には、まず、開口部１４に開口枠１８（図１、図２）を取り付ける。そして、図８に示すように、開口枠１８の縦枠３６に形成された穴４０にケース体２２を収容し、固定ねじ６２を用いてケース体２２を縦枠３６に固定する。一方、開戸１６の戸パネル３０に形成された穴３４に蝶番２０の主取付部６８を収容し、固定ねじ１１２を用いて主取付部６８を戸パネル３０に固定する。そして、蝶番２０と一体になった戸パネル３０を所定高さで支持しながら、蝶番２０の間接取付部６６をケース体２２の穴４０に挿入する。そして、間接取付部６６に形成された係止突起７６をケース体２２に形成された係止孔５４に係止し、かつ、間接取付部６６に形成された凹部７８をケース体２２に形成された係止突起６０に係止する。
【００６２】
間接取付部６６を穴４０に挿入していくと、図８および図９に示すように、係止突起７６における引掛け部８２の先端面（ガイド面）８２ａが係止孔５４の周縁下部５４ａに押し当てられ、係止突起７６が先端面（ガイド面）８２ａの傾斜方向へ持ち上げられる。また、図８に示すように、凹部７８の側壁部７８ａが係止突起６０の端面（ガイド面）６０ａに押し当てられ、側壁部７８ａが端面（ガイド面）６０ａの傾斜方向へ持ち上げられる。したがって、係止突起７６を係止孔５４に係止させる作業、および凹部７８を係止突起６０に係止させる作業を容易に行うことができる。つまり、「蝶番側係止部」を「ケース側係止部」に係止させる作業を容易に行うことができる。
【００６３】
「蝶番側係止部」と「ケース側係止部」との係止が完了した状態では、図４に示すように、係止突起７６と係止孔５４とを係止させた部分が上側の仮固定部Ｆ１となり、凹部７８と係止突起６０とを係止させた部分が下側の仮固定部Ｆ２となり、上下二段の仮固定部Ｆ１およびＦ２によって蝶番２０が安定して仮固定される。また、仮固定部Ｆ１およびＦ２においては、上側に位置する係止突起７６および凹部７８に対して戸パネル３０の重量が下向きに作用するので、係止突起７６および凹部７８が不所望に持ち上げられることはない。
【００６４】
仮固定が完了すると、前後方向調整ねじ８８、高さ調整ねじ１０８および左右方向調整ねじ１２２を回すことによって、開口枠１８に対する戸パネル３０の位置を「前後」、「上下」および「左右」の各方向において調整する。
【００６５】
戸パネル３０の位置を前後方向に調整する際には、図１０に示すように、前後方向調整ねじ８６（図３）をドライバー等の工具を用いて回転させる。すると、前後方向調整ねじ８６に取り付けられた偏芯カム８８が回転され、この偏芯カム８８が押圧壁５２ａまたは５２ｂを押圧する。そして、偏芯カム８８が押圧壁５２ａを押圧した場合には、図１０（Ａ）に示すように、ケース体２２に対して間接取付部６６が前方へ移動（間接取付部６６に対してケース体２２が後方へ移動）され、それに伴って戸パネル３０が前方へ移動される。一方、偏芯カム８８が押圧壁５２ｂを押圧した場合には、図１０（Ｂ）に示すように、ケース体２２に対して間接取付部６６が後方へ移動（間接取付部６６に対してケース体２２が前方へ移動）され、それに伴って戸パネル３０が後方へ移動される。
【００６６】
前後方向の位置調整が完了すると、間接取付部６６の貫通孔９０およびケース体２２のねじ孔５８に本固定ねじ５６（図３）をねじ込むことによって、蝶番２０をケース体２２に対して本固定する。本固定ねじ５６の全体長さＬ６は、図１１に示すように、ケース体２２の底板部４２ａから完全に閉じられた戸パネル３０の幅方向他方端面３０ｂまでの距離Ｌ７よりも長く設定されている。したがって、頭部５６ａが幅方向他方端面３０ｂに当たるよりも前に本固定ねじ５６がねじ孔５８から外れることはなく、頭部５６ａが幅方向他方端面３０ｂに当たったことを契機に本固定ねじ５６を締め直すことができる。
【００６７】
戸パネル３０の位置を上下方向に調整する際には、図１２に示すように、高さ調整ねじ１０８をドライバー等の工具を用いて回転させる。すると、高さ調整ねじ１０８の回転に伴って高さ規定部１１８が左方または右方へ移動される。そして、高さ規定部１１８が左方へ移動された場合には、高さ規定部１１８が上下移動部本体１１６の傾斜面１２６に沿って上方へ移動され、高さ規定部１１８と一体となった戸パネル３０が上方へ移動される。一方、高さ規定部１１８が右方に移動された場合には、高さ規定部１１８が上下移動部本体１１６の傾斜面１２６に沿って下方へ移動され、高さ規定部１１８と一体となった戸パネル３０が下方へ移動される。なお、高さ規定部１１８には、戸パネル３０の重量が下向きに作用しているため、高さ規定部１１８が右方に移動された場合であっても、傾斜面１２６に対する傾斜面１２８の当接状態が解除されることはない。
【００６８】
戸パネル３０の位置を左右方向に調整する際には、図１３に示すように、左右方向調整ねじ１２２をドライバー等の工具を用いて回転させる。すると、左右方向調整ねじ１２２の回転に伴ってハウジング９２が左方または右方へ移動され、ハウジング９２と一体となった戸パネル３０が左方または右方へ移動される。
【００６９】
なお、上述の実施例では、図４に示すように、上側の仮固定部Ｆ１と下側の仮固定部Ｆ２とを異なる態様で構成しているが、図１４に示すように、下側の仮固定部Ｆ２を上側の仮固定部Ｆ１と同様に構成してもよい。つまり、仮固定部Ｆ１およびＦ２の両方を、係止突起７６と係止孔５４とで構成してもよい。また、仮固定部Ｆ１，Ｆ２の数は、２つに限定されるものではなく、１つであってもよいし、３つ以上であってもよい。
【００７０】
また、上述の実施例では、図４および図９に示すように、間接取付部６６に係止突起７６を形成するとともに、ケース体２２に係止孔５４を形成しているが、図１５に示すように、ケース体２２に「ケース側係止部」としての係止突起１４８を形成するとともに、間接取付部６６に「蝶番側係止部」としての係止孔１５０を形成してもよい。
【００７１】
さらに、上述の実施例では、図８に示すように、縦枠３６に形成された穴４０にケース体２２を取り付けるようにしているが、図１６に示すように、戸パネル３０に形成された穴３４にケース体２２を取り付けるようにしてもよい。この場合には、蝶番２０の主取付部６８が縦枠３６に形成された穴４０に取り付けられ、蝶番２０の間接取付部６６が戸パネル３０と一体になったケース体２２に固定されることになる。したがって、ケース体２２に形成された「ケース側係止部」が間接取付部６６に形成された「蝶番側係止部」の上方からこれに係止されることになり、図１６に示すように、「ケース側係止部」が係止孔１５２である場合、「蝶番側係止部」としては、上方へ突出した引掛け部１５４を有する係止突起１５６が採用される。また、この場合、引掛け部１５４の先端面１５４ａは、係止孔１５２の周縁上部１５２ａを案内する「ガイド面」として水平面に対して傾斜して形成される。
【図面の簡単な説明】
【００７２】
【図１】開戸構造の全体を示す正面図
【図２】図１におけるＩＩ−ＩＩ線断面図
【図３】開戸構造を完全に開いたときの要部を示す部分拡大図
【図４】図３におけるＩＶ−ＩＶ線断面図
【図５】図４における「Ａ部」および「Ｂ部」の拡大図
【図６】図３におけるＶＩ−ＶＩ線断面図
【図７】ケース体を示す背面図および断面図
【図８】蝶番をケース体に仮固定する方法を示す図
【図９】仮固定部の構成および作用を示す部分拡大断面図
【図１０】前後方向位置の調整方法を示す図
【図１１】固定ねじの構成および作用を示す図
【図１２】上下方向位置の調整方法を示す図
【図１３】左右方向位置の調整方法を示す図
【図１４】仮固定部の変形例を示す断面図
【図１５】仮固定部の他の変形例を示す断面図
【図１６】ケース体を戸パネルに取り付けた状態を示す図
【図１７】一般的な従来技術を示す断面図
【図１８】特許文献１に記載された発明を示す断面図
【符号の説明】
【００７３】
１０…  開戸構造
１２…  壁
１４…  開口部
１６…  開戸
１８…  開口枠
２０…  蝶番
２２…  ケース体
３０…  戸パネル
３４，４０…  穴
３６…  縦枠
５２ａ，５２ｂ…  押圧壁
５４…  係止孔（ケース側係止部）
６０…  係止突起（ケース側係止部）
６０ａ…  係止突起の端面（ガイド面）
６６…  間接取付部
６８…  主取付部
７０…  連結機構
７２…  固定板部
７６…  係止突起（蝶番側係止部）
７８…  凹部（蝶番側係止部）
８２ａ…  引掛け部の先端面（ガイド面）
８６…  前後方向調整ねじ
８８…  偏芯カム
１４８…  係止突起（ケース側係止部）
１５０…  係止孔（蝶番側係止部）
１５２…  係止孔（ケース側係止部）
１５６…  係止突起（蝶番側係止部）
【図１】
0005065848.tif 000002
【図２】
0005065848.tif 000003
【図３】
0005065848.tif 000004
【図４】
0005065848.tif 000005
【図５】
0005065848.tif 000006
【図６】
0005065848.tif 000007
【図７】
0005065848.tif 000008
【図８】
0005065848.tif 000009
【図９】
0005065848.tif 000010
【図１０】
0005065848.tif 000011
【図１１】
0005065848.tif 000012
【図１２】
0005065848.tif 000013
【図１３】
0005065848.tif 000014
【図１４】
0005065848.tif 000015
【図１５】
0005065848.tif 000016
【図１６】
0005065848.tif 000017
【図１７】
0005065848.tif 000018
【図１８】
0005065848.tif 000019